(57)【特許請求の範囲】
【請求項１】
それぞれ異なる種類の流体を収容し後端鍔部を有する複数の容器と、内孔の先端部に、容器の前方外径よりも僅かに大きい内径の案内孔を有すると共に、内孔の後端部周壁に、容器の後端鍔部が前側当接する内段部と容器の後端鍔部が乗り越える突部とを有する収容室受けとから少なくともなり、収容室受けの内孔の後方より容器を挿入する過程で、容器の後端鍔部が、収容室受けの突部を乗り越えて内段部に当接することで当接係合するカートリッジと、容器の吐出部を内装して密閉する蓋体と、容器内の流体を操作によって押圧吐出可能な押圧機構とを少なくとも備えるカートリッジ式流体吐出具。
【発明の詳細な説明】
【０００１】
【発明の属する技術分野】
本発明は、容器内に収容された接着剤や調味料、化粧料などの流体をピストンの前進移動によって加圧し、前記容器の吐出口から吐出させるカートリッジ式流体吐出具に関し、特にカートリッジに格納された容器の密閉に関する。
【０００２】
【従来の技術】
従来から、図１６に示すような流体吐出具が知られている。異なる２種類の流体を同時に吐出させるものである。ケース本体１０１は、上枠（図示せず）と下枠１０２より構成されており、その下枠１０２の前方部分には、交換可能なカートリッジ式の流体容器１０３が２個連結された状態で取り付けられている。その流体容器１０３には、流体を吐出せしめるピストン１０４が液密摺動可能に取り付けられている。ケース本体１０１の中間部には、前記ピストン１０４を押圧前進せしめるナット部材１０５が螺着された螺子棒１０６が回転自在に取り付けられている。また、ケース本体１０１の後端には、前記螺子棒１０６を回転せしめ、ナット部材１０５、並びに、ピストン１０４を前進させる回転つまみ１０７が配置されている。
【０００３】
【発明が解決しようとする課題】
上記従来技術の流体吐出具にあっては、異なる種類の流体を収容し連結された２個の流体容器１０３の先端吐出口を非使用時に密閉しておこうとする場合、複数の蓋体で各々の吐出口を覆うか、あるいは、２個の吐出口を覆う一体の蓋体を吐出口に取り付けておくことが必要になるが、複数の蓋体で覆う場合は、同じ平蓋の動作を２度繰り返さなければならないという面倒さがあるし、また、一体の蓋体で２個の吐出口を覆う場合は、前記上枠と下枠により狭持固定された２個の流体容器１０３の先端吐出口間隔と蓋体の覆口間隔が、お互いの寸法上のばらつきなどにより一致せず、不完全な密閉になってしまうことがあった。
【０００４】
【課題を解決するための手段】
"ＭＳ 明朝"'>  本発明は、それぞれ異なる種類の流体を収容し後端鍔部を有する複数の容器と、内孔の先端部に、容器の前方外径よりも僅かに大きい内径の案内孔を有すると共に、内孔の後端部周壁に、容器の後端鍔部が前側当接する内段部と容器の後端鍔部が乗り越える突部とを有する収容室受けとから少なくともなり、収容室受けの内孔の後方より容器を挿入する過程で、容器の後端鍔部が、収容室受けの突部を乗り越えて内段部に当接することで当接係合するカートリッジと、容器の吐出部を内装して密閉する蓋体と、容器内の流体を操作によって押圧吐出可能な押圧機構とを少なくとも備えるカートリッジ式流体吐出具style='mso-hansi-font-family:"ＭＳ 明朝"'>を要旨とする。
lang=EN-US style='mso-hansi-font-family:"ＭＳ 明朝"'>
lang=EN-US style='mso-hansi-font-family:"ＭＳ 明朝"'>
【０００５】
【実施例】
以下本発明を詳細に説明する。ケース１は、上枠２と下枠３とより構成されており、それら上枠２と下枠３とは、上枠２の側部内面に形成された凹部（図示せず）と下枠３の側部外面に形成された凸部（図示せず）との凹凸係合によって着脱自在に固定されている。前記ケース１の前端には、流体を収容するカートリッジ４が着脱可能に固定されている。勿論、そのカートリッジ４は交換可能なものであり、前記ケース１に対して相対的に回転させることによって着脱するようにしたものである。前記カートリッジ４は、本例においては、２種類の流体が収納できるように２つの収容室（容器）５、６を有している。また、その各々の収容室５、６には、ピストン７、８が摺動自在に内設されており、それらピストン７、８の後部には、押圧棒９、１０が位置しているが、前記ピストン７、８とは容易に着脱自在な構造となっている。符号１１、１２は、収容室５、６の先端に形成されている吐出口である。
【０００６】
前記下枠３の内側で、前記カートリッジ４の２本の押圧棒９、１０間には、雄螺子が形成された螺子棒１３が配置されており、また、螺子棒１３には、雌螺子が形成されたナット部材１４が螺合しており、そのナット部材１４には前記押圧棒９、１０の後端を圧入する受け部材１５が取り付けられている。更に、前記螺子棒１３の後部には、その螺子棒１３を回転させるための回転手段１６が配置されている。また、ケース１の後端部には前記回転手段１６を作動せしめる押圧部材１７が配設されている。尚、前記ナット部材１４は、開閉自在に２つ割りに構成されているが、操作片１８の回転操作により前記螺子棒１３に螺合され、また、操作片１８の逆回転操作によって前記螺子棒から離脱し解放されるようになっている。
【０００７】
本実施例において、前記カートリッジ４は、従来技術で示したものとは若干異なり、収容室受け１９に嵌合固定された収容室５、６とピストン７、８とより構成されている。つまり、押圧棒９、１０は受け部材１５に固定されているものであり、カートリッジ４とは分離した別部材となっている。使用後（流体を使いきった後）における廃棄する部材を極力少なくするためである。
前記収容室受け１９の後端部には鍔部２０が形成されており、ケース１の上枠２，下枠３の前端に形成した鍔受け部２ａ、３ａがこの鍔部２０を抱持し収容室受け１９をケース１に固定している（図１、図２参照）。
図３はカートリッジ４の外観図である。図３のカートリッジ右側鍔部２０に突起２０ａ、２０ｂおよび凸部２０ｃが形成されている。カートリッジ４取り付けの際の位置決めおよびカートリッジ４をケース１に固定するためのものである。図４にカートリッジ４の後端面（図３の右側面図）、図５にカートリッジ４の前端面（図３の左側面図）を示す。
【０００８】
図６はカートリッジ４の収容室受け１９より取り外した状態の収容室（容器）５、６を示す外観図、図７は図６の右側面図である。収容室５と収容室６は断面積の大きさが異なっており、比率の異なった流体量を、例えば、２：１の割合などで吐出させることができるようになっている。収容室５および６の後端部にはそれぞれ鍔部５ａ、６ａが形成されており、また、それらの鍔部５ａ、６ａを凹凸係合などにより連結して収容室５、６を一体化せしめるための係合部５ｂ、６ｂが収容室５、６の後端側部に形成されている。
収容室５および収容室６の先端部には偏芯した状態の小径部５ｃおよび小径部６ｃが形成されている。小径部５ｃ、６ｃは収容室５、６の前記係合部５ｂ、６ｂ側に偏芯しているが、前記吐出口１１および吐出口１２をできるだけ近づけることにより吐出後の２種類の流体の混練を容易にするためである。
【０００９】
図８に前記収容室受け２１の縦断面を示し説明する。先端部２１には前記収容室５の前方部外径よりも僅かに大きい内径の案内孔２１ａと前記収容室６の前方部外径よりも僅かに大きい内径の案内孔２１ｂが形成されている。また、内孔２２の後端には段部２２ａと周壁部２２ｂと、その周壁部２２ｂに形成された複数の係合突部２２ｃを有している。
前記案内孔２１ａと案内孔２１ｂは前記収容室５、６の前方部を支承する役目であり、必ずしも円形の孔でなく角孔や星形孔などの異形孔であってもよい。要は、収容室５、６が案内孔に対してクリアランスをもって必要に応じて孔中を動くことができればよいのである。また、前記係合突部２２ｃは前述の収容室５、６の鍔部５ａ、６ａを前記段部２２ａに当接させた状態で抜け止め保持するためのものであり、断面半円状のリブや断面Ｖ形のリブが好ましい。
尚、符号２３は突起であり、後述するキャップＣの逆向き取り付けを防止するためのものである。
【００１０】
図９はキャップＣを示す縦断面図である。図中の中部に突壁２４を有し、その突壁２４を挟んで２つの密閉部２５、２６が設けられている。また、その密閉部２５、２６の孔２５ａ、２６ａの底部には凸部２５ｂ、２６ｂが形成されている。尚、前記突壁２４は、カートリッジ４へのキャップＣの取り付けが正向きのときは前述の突起２３と干渉しないが、逆向きに取り付けようとすると突起２３と干渉し妨害されて取り付けできないよう、突起２３と対称位置に形成されている。
【００１１】
次に作用について説明する。図６の状態の収容室５、６を把持し、前記収容室受け２１の後方より内孔２２に挿入し、係合突部２２ｃをのりこえさせて前記鍔部５ａ、６ａを段部２２ａに当接係合せしめる（図１０、図１１参照）。この時、前記収容室５、６はその鍔部５ａ、６ａを係合せしめられているものの、前方部は収容室受け２１の案内孔２１ａに対してクリアランスＬを有しており、孔中を微動可能になっている（図１２、図１３参照）。
この状態のカートリッジ４に前記キャップＣを取り付けると、キャップＣの密閉部２５、２６の孔２５ａ、２６ａに沿って前記収容室５、６の吐出口１１、１２が入り込み、孔２５ａと孔２６ａとの間隔と吐出口１１と吐出口１２との間隔が例え僅かに違っているとしても前記案内孔２１ａ、２１ｂのクリアランスの分だけ間隔を微動せしめられて前記吐出口１１、１２が覆口密閉される（図１４、図１５参照）。
【００１２】
前記のカートリッジ４をケース１に装着し、キャップＣを取り外した後、ケース１を把持して親指などで押圧部材１７を押圧すると前記回転手段１６により回転動作が行われる。そして、この回転動作により、前記螺子棒１３も回転せしめられ、ナット部材１４と受け部材１５とが前進する。この受け部材１５の前進によって前記の押圧棒９、１０並びに、ピストン７、８も前進し流体が収容室５、６の吐出口１１、１２から吐出する。この様に、１回の押圧操作で前記螺子棒１３が定量回転し、一定量の吐出が行われる。使用の後には再びキャップＣをカートリッジ４に装着し、吐出口１１、１２を覆口密閉せしめる。
【００１３】
複数の容器の先端吐出口間隔と蓋体の覆口間隔にお互いの寸法上のばらつきなどがあったとしても、着蓋により口間隔を一致せしめることができ、吐出口の完全な密閉状態を得ることができるものである。lang=EN-US style='mso-hansi-font-family:"ＭＳ 明朝"'>
lang=EN-US style='mso-hansi-font-family:"ＭＳ 明朝"'>
lang=EN-US style='mso-hansi-font-family:"ＭＳ 明朝"'>
【図面の簡単な説明】
【図１】本発明を示す縦断面図。
【図２】本発明の外観図。
【図３】カートリッジ４の外観図。
【図４】図３の右側面図。
【図５】図３の左側面図。
【図６】収容室５、６の外観図。
【図７】図６の右側面図。
【図８】収容室受け１９の縦断面図。
【図９】キャップＣの縦断面図。
【図１０】作用を説明する図。
【図１１】作用を説明するＰ部拡大図。
【図１２】作用を説明するＱ部拡大図。
【図１３】作用を説明するＲ部拡大図。
【図１４】作用を説明する図。
【図１５】作用を説明する要部拡大図。
【図１６】従来の技術を示す上枠を外した外観図。
【符号の説明】
１      ケ−ス
２      上枠
２ａ    鍔受け部
３      下枠
３ａ    鍔受け部
４      カ−トリッジ
５      収容室
５ａ    鍔部
５ｂ    係合部
５ｃ    小径部
６      収容室
６ａ    鍔部
６ｂ    係合部
６ｃ    小径部
７      ピストン
８      ピストン
９      押圧棒
１０    押圧棒
１１    吐出口
１２    吐出口
１３    螺子棒
１４    ナット部材
１５    受け部材
１６    回転手段
１７    押圧部材
１８    操作片
１９    収容室受け
２０    鍔部
２０ａ  突起
２０ｂ  突起
２０ｃ  凸部
２１    先端部
２１ａ  案内孔
２１ｂ  案内孔
２２    内孔
２２ａ  段部
２２ｂ  周壁部
２２ｃ  係合突部
２３    突起
２４    突壁
２５    密閉部
２５ａ  孔
２５ｂ  凸部
２６    密閉部
２６ａ  孔
２６ｂ  凸部
Ｃ    キャップ
Ｌ    クリアランス
【図１】
0004182595.tif 000002
【図２】
0004182595.tif 000003
【図３】
0004182595.tif 000004
【図４】
0004182595.tif 000005
【図５】
0004182595.tif 000006
【図６】
0004182595.tif 000007
【図７】
0004182595.tif 000008
【図８】
0004182595.tif 000009
【図９】
0004182595.tif 000010
【図１０】
0004182595.tif 000011
【図１１】
0004182595.tif 000012
【図１２】
0004182595.tif 000013
【図１３】
0004182595.tif 000014
【図１４】
0004182595.tif 000015
【図１５】
0004182595.tif 000016
【図１６】
0004182595.tif 000017